(57)【要約】【課題】各ページに表示された案内情報（図柄、写真等）がページを跨いで同時に閲覧可能な商品見本ファイルを提供する。【解決手段】  見開き可能に折り畳まれる表表紙及び背表紙と、表表紙の内面側の外縁に折返し可能に綴じ付けられた複数のページ材と、背表紙の内面側の外縁に折返し可能に綴じ付けられた複数のページ材とを備えて成る商品見本ファイルである。本発明による商品見本ファイルによれば、ページ材ないしは袋体が表表紙及び裏側表紙の内面側の外縁に折返し可能に綴じ付けられていることにより、ページ材は表表紙及び裏側表紙の外縁を越えて外側に開くことができ、１ページの面積が倍増するか、またはた見開きしたときのページ数が倍加する。また、見開きしたときの左側のページと右側のページが独立にめくることができるから、ページ間の任意の組み合わせが可能であり、表示内容の組み合わせを自在に変更できる。【選択図】図１
2016138949.tif 000002
【特許請求の範囲】
【請求項１】
見開き可能に折り畳まれる表表紙及び背表紙と、
表表紙の内面側の外縁に折返し可能に綴じ付けられた複数のページ材と、
背表紙の内面側の外縁に折返し可能に綴じ付けられた複数のページ材とを備えて成る商品見本ファイル。
【請求項２】
見開き可能に折り畳まれる表表紙及び背表紙と、
表表紙の内面側の外縁に折返し可能に綴じ付けられた複数の袋体と、
背表紙の内面側の外縁に折返し可能に綴じ付けられた複数の袋体とを備え、
前記袋体はそれぞれ、少なくとも見開き状態で上面側が透明な材質から成り、且つ、各袋体のいずれかの縁部に袋体内への物品出し入れ口を有しており、また、
表表紙の外縁に綴じ付けられた複数の袋体と、背表紙の外縁に綴じ付けられた複数の袋体とは、それぞれ独立に折返し可能である、
ことを特徴とする商品見本ファイル。
【請求項３】
表表紙の外縁に綴じ付けられた複数の袋体は、当該表表紙の上下中間部で分割されて上側袋体群と下側袋体群に分離されていることを特徴とする請求項２記載の商品見本ファイル。
【請求項４】
背表紙の外縁に綴じ付けられた複数の袋体は、当該表表紙の上下中間部で分割されて上側袋体群と下側袋体群に分離されていることを特徴とする請求項２又は３記載の商品見本ファイル。
【発明の詳細な説明】
【技術分野】
【０００１】
本発明は、外綴組み合わせファイル、特に各ページに表示された案内情報（図柄、写真等）がページを跨いで同時に閲覧可能な外綴組み合わせファイルに関するものである。
【背景技術】
【０００２】
従来、商品見本や飲食店メニュー等に用いられるファイル（或いは、冊子、以下「商品見本ファイル」で代表させる）は、簡易写真アルバムとして一般に流布しているものと同じ形式のものが使用されてきた。図４は、そのような従来の商品見本ファイルを示す図である。
【０００３】
この従来の商品見本ファイル１は、見開き可能に折り畳まれる表表紙２及び背表紙３と、表表紙２の内面側中央部分折畳み部４に綴じ付けられた複数のページ紙５とから成る。ページ紙５の片面又は両面にはこの商品見本ファイル１によってユーザや閲覧者等に伝えたい案内情報６が表示されている。ページ紙５が袋体構造（図４に示される通り）に製作されているときは案内情報６は出し入れ可能なものが使用される。案内情報６としては、図柄、文字、写真等により表示されている（ここでは、写真で代表させる）。例えば写真は１ページに２枚、見開きで４枚が貼り付け、印刷、或いは差し込み（図４の例）などされて表示されているものとする。このような従来の商品見本ファイル１を見る者は台紙１枚づつをめくりながら表示されている内容を閲覧する。
【発明の概要】
【発明が解決しようとする課題】
【０００４】
上述のような従来の商品見本ファイル１を見るとすると、内部の所定のページを開いたとき、写真は１ページに２枚、見開きで４枚が表示されているから、見る者はこの４枚しかみることはできない。もし別のページの写真を見たいときは、またページ紙５をめくって上記別のページを見る必要がある。したがって、上記所定のページの写真と別のページの写真を同時にみながら対比したい場合は片方のページの写真のコピーをとるか、両ページ間のページ紙５を折り曲げるなどして同時に見えるようにする必要があり不便である。
【０００５】
本発明は、上述したような事情に鑑みてなされたものであり、その目的は、各ページに表示された案内情報（図柄、写真等）がページを跨いで同時に閲覧可能な外綴組み合わせファイルを提供することである。
【課題を解決するための手段】
【０００６】
請求項１記載の発明は、見開き可能に折り畳まれる表表紙及び背表紙と、表表紙の内面側の外縁に折返し可能に綴じ付けられた複数のページ材と、背表紙の内面側の外縁に折返し可能に綴じ付けられた複数のページ材とを備えて成る外綴組み合わせファイルである。
【０００７】
前記ページ材はそれぞれ袋体から成り、少なくとも見開き状態で上面側が透明な材質から成り、且つ、各袋体のいずれかの縁部に袋体内への物品出し入れ口を有しており、また、表表紙の外縁に綴じ付けられた複数の袋体と、背表紙の外縁に綴じ付けられた複数の袋体とは、それぞれ独立に折返し可能な構成を有する。
【０００８】
表表紙の外縁に綴じ付けられた複数の袋体は、当該表表紙の上下中間部で分割されて上側袋体群と下側袋体群に分離された構成を有する。
【０００９】
また、背表紙の外縁に綴じ付けられた複数の袋体は、当該表表紙の上下中間部で分割されて上側袋体群と下側袋体群に分離された構成を有する。
【発明の効果】
【００１０】
本発明の外綴組み合わせファイルは、ページ材ないしは袋体が表表紙及び裏側表紙の内面側の外縁に折返し可能に綴じ付けられていることにより、ページ材は表表紙及び裏側表紙の外縁を越えて外側に開くことができ、１ページの面積が倍増するか、またはた見開きしたときのページ数が倍加する。また、見開きしたときの左側のページと右側のページが独立にめくることができるから、ページ間の任意の組み合わせが可能であり、表示内容の組み合わせを自在に変更できる。
【図面の簡単な説明】
【００１１】
【図１】本発明の一実施の形態に係る外綴組み合わせファイルを見開き状態で示す斜視図である。
【図２】上記実施の形態に係る外綴組み合わせファイルを見開き、且つ各ページ紙を捲り操作したときの斜視図である。
【図３】上記実施の形態に係る外綴組み合わせファイルを閉じた状態を示す斜視図である。
【図４】従来技術に係る商品見本ファイルを見開き状態で示す斜視図である。
【発明を実施するための形態】
【００１２】
図１は、本発明の一実施の形態に係る外綴組み合わせファイルの斜視図である。この実施の形態の説明では、外綴組み合わせファイルを商品見本ファイルとして使用する場合について説明する。図１において、１１は本実施の形態に係る商品見本ファイルである。この商品見本ファイル１１は、見開き可能に折り畳まれる表表紙１２及び背表紙１３と、表表紙１２の内面側、すなわち、開いたときに露出される面の外縁１２ａに折返し可能に綴じ付けられた複数のページ材としてのページ紙１４と、背表紙１３の内面側の外縁１３ａに折返し可能に綴じ付けられた複数のページ材としてのページ紙１５とから成る。ページ紙１４は上段ページ紙１４ａと下段ページ紙１４ｂとから成り、上段ページ紙１４ａと下段ページ紙１４ｂは分離されていて互いに独立してページ捲りができるようになっている。同様に、ページ紙１５は上段ページ紙１５ａと下段ページ紙１５ｂとから成り、上段ページ紙１５ａと下段ページ紙１５ｂは分離されていて互いに独立してページ捲りができるようになっている。ページ紙１４、１５の片面又は両面にはこの商品見本ファイル１１によってユーザや閲覧者等に伝えたい案内情報１６が表示されている。この実施の形態においてページ紙１４，１５は袋体構造に製作されており、個々の袋体構造のページ紙１４ａ、１４ｂ、１５ａ、１５ｂの上縁が開口１７になってこの開口１７から案内情報１６の出し入れができるようになっている。案内情報１６としては、図柄、文字、写真等により表示されている（ここでは、写真で代表させる）。例えば商品見本ファイル１１を見開き状態にした状態（図１に示されている）では、写真は１ページに２枚、見開きで４枚が貼り付けないしは印刷などされて表示されている。なお各ページ紙１４ａ、１４ｂ、１５ａ、１５ｂは袋体構造でなければならないものではなく、１枚、１枚の紙類から成っていて写真等を貼り付けるものであってもよい。
【００１３】
上記のような構成の商品見本ファイル１１について、用途、或いは使用方法の例を説明する。図２は使用時における商品見本ファイル１１を示す斜視図である。この図に示されるように、各ページ紙１４ａ、１４ｂは表表紙１２の内面側の外縁１２ａに折返し可能に綴じ付けられ、１５ａ、１５ｂは裏表紙１３の内面側の外縁１３ａに折返し可能に綴じ付けられているため、いずれのページ紙１４ａ、１４ｂ、１５ａ、１５ｂ各表紙１２，１３の外縁１２ａ、１３ａに対して外側に捲り動作（ページ繰り動作）される。また各ページ紙１４ａ、１４ｂは互いに分離されており、各ページ紙１５ａ、１５ｂもまた互いに分離されてされているため、すべてのページ紙１４ａ、１４ｂ、１５ａ、１５ｂは独立してページ捲り動作される。このため、ページ捲り動作中における一時点についてみると、例えば、ページ紙１４ａについては２枚捲られ、ページ紙１４ｂについては１枚捲られ、ページ紙１５ａについては４枚捲られ、ページ紙１５ｂについては０枚捲られる（背表紙１３を開いたまま）というように、各ページ紙１４ａ、１４ｂ、１５ａ、１５ｂについて任意のページを表出することができる。このため、一例として、各ページ紙１４ａ、１４ｂ、１５ａ、１５ｂにそれぞれ１０枚のページ材が綴じられているとすると、各ページ紙１４ａ、１４ｂ、１５ａ、１５ｂについて任意のページを表出する組合わせは、
組合わせ数＝１０×１０×１０×１０＝１００００（通り）
の案内表示１６の組合せを提示することができる。
【００１４】
用途の一例として、商品見本ファイル１１が料理の献立ファイルであったとすれば、ページ紙１４ａには主食としてごはん、パン、そば、うどんなどの案内表示１６を綴じ、ページ紙１４ｂには汁物としてとしてみそ汁、お吸い物、あずき汁、スープなどの案内表示１６を綴じ、ページ紙１５ａにはメインディッシュとして日本食、洋食、中華もの等の各種料理の案内表示１６を綴じ、ページ紙１５ｂには副菜のサラダ、小鉢類の案内表示１６を綴じておけば、各ページ紙１４ａ、１４ｂ、１５ａ、１５ｂを任意に捲ることによりその日の献立を決定する判断材料を提示することができる。
【００１５】
また、別の用途の例として、商品見本ファイル１１が服飾のコーディネート検討用ファイルであったとすれば、ページ紙１４ａには頭に着ける各種帽子の案内表示１６を綴じ、ページ紙１４ｂには洋服類の案内表示１６を綴じ、ページ紙１５ａにはパンツ、ズボン、スカート類の案内表示１６を綴じ、ページ紙１５ｂには持ち歩き用のバッグ、小物類の案内表示１６を綴じておけば、各ページ紙１４ａ、１４ｂ、１５ａ、１５ｂを任意に捲ることによりその日のお出かけスタイルを決定する判断材料を提示することができる。その他にもカードコレクション、暗記学習帳、名刺入れ、インテリア店（他にも、飲食店や美容院、美容院等）のメニューカタログなどの用途に本発明の商品見本ファイル１１を用いることができる。
【００１６】
また本発明の商品見本ファイル１１は、各ページ紙１４ａ、１４ｂ、１５ａ、１５ｂの１枚ごとのページ材は表表紙１２及び裏側表紙１３の外縁を越えて外側に開くことができるから、１ページ分の面積が倍増するか、または見開きしたときのページ数が倍加するものである。すなわち、図２に示されるように、各ページ紙１４ａ、１４ｂ、１５ａ、１５ｂを捲ると、合計で８つのページ紙とすることができ、多くの案内表示１６を一度に提示することができ、商品販売（車の販売等）の見本冊子として用いると表示効果を上げることができる。
【００１７】
また、本発明の商品見本ファイル１１を名刺入れに使用した場合は、1枚分が独立しているので、捲りやすく、例えば見開きで６枚（左右３枚づつ）の名刺をセッティングするものであれば、１０枚のページ材が綴じられているとすると、６０枚の名刺から探したい名刺が瞬時に見つかる可能性もある。
【産業上の利用可能性】
【００１８】
本発明による外綴組み合わせファイル（商品見本ファイル）によれば、ページ材ないしは袋体が表表紙及び裏側表紙の内面側の外縁に折返し可能に綴じ付けられていることにより、ページ材は表表紙及び裏側表紙の外縁を越えて外側に開くことができ、１ページの面積が倍増するか、またはた見開きしたときのページ数が倍加する。また、見開きしたときの左側のページと右側のページが独立にめくることができるから、ページ間の任意の組み合わせが可能であり、表示内容の組み合わせを自在に変更できる。
【符号の説明】
【００１９】
１１  商品見本ファイル（外綴組み合わせファイル）
１２  表表紙
１３  背表紙
１４、１５  ページ紙
１６  案内情報
１７  開口
【図１】
2016138949.tif 000003
【図２】
2016138949.tif 000004
【図３】
2016138949.tif 000005
【図４】
2016138949.tif 000006
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
見開き可能に折り畳まれる表表紙及び背表紙と、
表表紙の内面側の外縁に折返し可能に綴じ付けられた複数の袋体と、
背表紙の内面側の外縁に折返し可能に綴じ付けられた複数の袋体とを備え、
前記袋体はそれぞれ、少なくとも見開き状態で上面側が透明な材質から成り、且つ、各袋体のいずれかの縁部に袋体内への物品出し入れ口を有しており、また、
表表紙の外縁に綴じ付けられた複数の袋体と、背表紙の外縁に綴じ付けられた複数の袋体とは、それぞれ独立に折返し可能であり、且つ、
表表紙の外縁に綴じ付けられた複数の袋体と、背表紙の外縁に綴じ付けられた複数の袋体とは、それぞれ対応する表紙の上下中間部で分割されて上側袋体群と下側袋体群に分離されており、
それぞれの袋体群には、食事献立或いは服装コーディネートなどの項目分けされた事項について、それぞれ該当する項目毎に複数ずつの案内情報を揃えており、
前記複数の袋体が見開き状態で袋体群のそれぞれをめくって前記項目間での組み合わせを実現させるようにしたことを特徴とする商品見本ファイル。
【請求項２】
背表紙の外縁に綴じ付けられた複数の袋体は、当該表表紙の上下中間部で分割されて上側袋体群と下側袋体群に分離されていることを特徴とする請求項１に記載の商品見本ファイル。
【手続補正２】
【補正対象書類名】明細書
【補正対象項目名】０００９
【補正方法】変更
【補正の内容】
【０００９】
また、背表紙の外縁に綴じ付けられた複数の袋体は、当該表表紙の上下中間部で分割されて上側袋体群と下側袋体群に分離された構成を有し、表表紙の外縁に綴じ付けられた複数の袋体が当該表表紙の上下中間部で分割されて上側袋体群と下側袋体群に分離された構成を有することと相俟って、それぞれの袋体群には、食事献立或いは服装コーディネートなどの項目分けされた事項について、それぞれ該当する項目毎に複数ずつの案内情報を揃えており、前記複数の袋体が見開き状態で袋体群のそれぞれをめくって前記項目間での組み合わせを実現させるようにしている。